【手続補正書】
【提出日】平成17年12月7日(2005.12.7)
【手続補正１】
【補正対象書類名】特許請求の範囲
【補正対象項目名】全文
【補正方法】変更
【補正の内容】
【特許請求の範囲】
【請求項１】
使い捨て吸収性パンツであって、
外側カバーと、
前記外側カバーに少なくとも部分的に結合された身体側ライナと、
前記外側カバーと前記身体側ライナとの間に位置され、約２ミリメートルより小さい厚さを有する吸収体パッドと、
を備え、前記外側カバー、前記身体側ライナ、前記吸収体パッド、及び前記外側カバーと前記身体側ライナとの間の付加的な層は、組み合わされたとき約３ミリメートルより小さい厚さを有し、
前記使い捨て吸収体パッドは、一回の予想放出体積の３倍より小さい吸収能力をもつことを特徴とする吸収性パンツ。
【請求項２】
ウエスト開口部と第１及び第２脚開口部を定め、少なくとも液体透過性身体側ライナと、吸収体パッドと、実質的に液体不透過性の外側カバー層とを含むシャーシを備え、
前記シャーシは、約３ミリメートルより小さい厚さを有し、前記吸収体パッドは、単独では約２ミリメートルより小さい厚さを有し、前記パンツは、該パンツが一回の予想放出体積に曝されたときに１５％より少ない放出液体の流出体積をもたらすことを特徴とする使い捨て吸収性パンツ。
【請求項３】
前記吸収体パッドと前記身体側ライナとの間にサージ層をさらに備えることを特徴とする請求項１または２に記載の吸収性パンツ。
【請求項４】
一回の予想放出体積の３倍より小さい吸収能力を有することを特徴とする請求項２に記載の吸収性パンツ。
【請求項５】
ウエスト開口部と第１及び第２脚開口部を定め、少なくとも液体透過性身体側ライナと、吸収体パッドと、実質的に液体不透過性の外側カバー層とを含むシャーシを備え、
前記シャーシは、約３ミリメートルより小さい厚さを有し、前記吸収体パッドは、単独では約２ミリメートルより小さい厚さを有し、前記パンツは、０．５ｐｓｉ飽和容量によって求められた一回の予想放出体積の約９０％から約１５０％までの飽和容量を有することを特徴とする使い捨て吸収性パンツ。
【請求項６】
前記パンツは、該パンツが一回の予想放出体積に曝されたときに、１５％より少ない放出液体の流出体積をもたらすことを特徴とする請求項１から５のいずれかに記載の使い捨て吸収性パンツ。
【請求項７】
一回の予想放出体積の２倍より小さい吸収能力を有することを特徴とする請求項１から６のいずれかに記載の使い捨て吸収性パンツ。
【請求項８】
使い捨て吸収性パンツであって、
外側カバーと、
前記外側カバーに少なくとも部分的に結合された身体側ライナと、
前記外側カバーと前記身体側ライナとの間に位置され、約２ミリメートルより小さい厚さを有する吸収体パッドと、
を備え、前記外側カバー、前記身体側ライナ、前記吸収体パッド、及び前記外側カバーと前記身体側ライナとの間の付加的な層は、組み合わされたとき約３ミリメートルより小さい厚さを有し、
前記使い捨て吸収体パッドは、約３０グラムから約４００グラムまでの間の吸収能力をもつことを特徴とする使い捨て吸収性パンツ。
【請求項９】
前記吸収体パッドは、超吸収体とフラフパルプからなることを特徴とする請求項１から８のいずれかに記載の吸収性パンツ。
【請求項１０】
前記吸収体パッドは、超吸収体の多数の層からなることを特徴とする請求項９に記載の吸収性パンツ。
【請求項１１】
前記吸収体パッドは、少なくとも２つの異なる超吸収体材料からなり、前記超吸収体材料の各々は、前記吸収体パッド内の異なる位置におかれることを特徴とする請求項９に記載の吸収性パンツ。
【請求項１２】
前記吸収体パッドは、該吸収体パッドの第１領域においてより多くの量の超吸収体を備え、該吸収体パッドの第２領域においてより少ない量の超吸収体を備えることを特徴とする請求項９に記載の吸収性パンツ。
【請求項１３】
前記吸収性パンツは、少なくとも７グラム／グラムで、約９グラム／グラムから約１１グラム／グラムまでの間、さらに少なくとも１２グラム／グラムの飽和容量を有することを特徴とする請求項１から１２のいずれかに記載の吸収性パンツ。
【請求項１４】
前記吸収性パンツは、３０グラムより少ない総重量で、２５グラムより少ない総重量、さらには２０グラムより少ない総重量を有することを特徴とする請求項１から１３のいずれかに記載の吸収性パンツ。
【請求項１５】
ウエスト開口部と第１及び第２脚開口部を定め、外側カバーと、前記外側カバーに少なくとも部分的に結合された身体側ライナと、前記外側カバーと前記身体側ライナとの間に位置された吸収体パッドとを含むシャーシを備え、
前記使い捨て吸収性パンツは、それぞれクレードル試験により、４０ミリリットル放出に対しては少なくとも７秒の取り込み速度、８０ミリリットル放出に対しては少なくとも４５秒の取り込み速度、４０ミリリットル放出の初期逆戻りの３５％より少ない４０ミリリットル放出の最終逆戻り、８０ミリリットル放出の初期逆戻りの６０％より少ない８０ミリリットル放出の最終逆戻り、及び８０ミリリットル放出の少なくとも６０％の流体分布を有することを特徴とする使い捨て吸収性パンツ。
【請求項１６】
前記使い捨て吸収性パンツは、約３０グラムから約４００グラムまでの間の吸収能力をもつことを特徴とする請求項１から１５のいずれかに記載の使い捨て吸収性パンツ。
【請求項１７】
ウエスト開口部と第１及び第２脚開口部を定め、外側カバーと、前記外側カバーに少なくとも部分的に結合された身体側ライナと、前記外側カバーと前記身体側ライナとの間に位置された吸収体パッドとを含むシャーシを備え、
前記使い捨て吸収性パンツは、約３０グラムから約４００グラムまでの間の吸収能力を有し、
前記使い捨て吸収性パンツは、それぞれクレードル試験により、４０ミリリットル放出に対しては少なくとも７秒の取り込み速度、８０ミリリットル放出に対しては少なくとも４５秒の取り込み速度を有することを特徴とする使い捨て吸収性パンツ。
【請求項１８】
前記４０ミリリットル放出に対する取り込み速度は、クレードル試験により少なくとも１２秒であり、さらに好ましくは少なくとも１６秒であることを特徴とする請求項１から１７のいずれかに記載の使い捨て吸収性パンツ。
【請求項１９】
前記８０ミリリットル放出に対する取り込み速度は、クレードル試験により少なくとも６５秒であり、さらに好ましくは少なくとも８０秒であることを特徴とする請求項１から１８のいずれかに記載の使い捨て吸収性パンツ。
【請求項２０】
前記使い捨て吸収性パンツは、クレードル試験により４０ミリリットル放出の初期逆戻りの３５％より少ない４０ミリリットル放出の最終逆戻りを有することを特徴とする請求項１から１９のいずれかに記載の使い捨て吸収性パンツ。
【請求項２１】
前記使い捨て吸収性パンツは、クレードル試験により８０ミリリットル放出の初期逆戻りの６０％より少ない８０ミリリットル放出の最終逆戻りを有することを特徴とする請求項１から２０のいずれかに記載の使い捨て吸収性パンツ。
【請求項２２】
ウエスト開口部と第１及び第２脚開口部を定め、外側カバーと、前記外側カバーに少なくとも部分的に結合された身体側ライナと、前記外側カバーと前記身体側ライナとの間に位置された吸収体パッドとを含むシャーシを備え、
前記使い捨て吸収性パンツは、約３０グラムから約４００グラムまでの間の吸収能力を有し、
前記使い捨て吸収性パンツは、それぞれクレードル試験により、４０ミリリットル放出の初期逆戻りの３５％より少ない４０ミリリットル放出の最終逆戻りと、８０ミリリットル放出の初期逆戻りの６０％より少ない８０ミリリットル放出の最終逆戻りと、を有することを特徴とする使い捨て吸収性パンツ。
【請求項２３】
前記使い捨て吸収性パンツは、クレードル試験により、４０ミリリットル放出の初期逆戻りの３０％より少ない４０ミリリットル放出の最終逆戻り、４０ミリリットル放出の初期逆戻りの２５％より少ない最終逆戻りを有することを特徴とする請求項１から２２のいずれかに記載の使い捨て吸収性パンツ。
【請求項２４】
前記使い捨て吸収性パンツは、クレードル試験により、８０ミリリットル放出の初期逆戻りの５０％より少ない８０ミリリットル放出の最終逆戻り、より好ましくは８０ミリリットル放出の初期逆戻りの４５％より少ない８０ミリリットル放出の最終逆戻りを有することを特徴とする請求項１から２３のいずれかに記載の使い捨て吸収性パンツ。
【請求項２５】
前記使い捨て吸収性パンツは、クレードル試験により８０ミリリットル放出の少なくとも６０％の流体分布を有することを特徴とする請求項１から２４のいずれかに記載の使い捨て吸収性パンツ。
【請求項２６】
ウエスト開口部と第１及び第２脚開口部を定め、外側カバーと、前記外側カバーに少なくとも部分的に結合された身体側ライナと、前記外側カバーと前記身体側ライナとの間に位置された吸収体パッドとを含むシャーシを備え、
前記使い捨て吸収性パンツは、約３０グラムから約４００グラムまでの間の吸収能力を有し、
前記使い捨て吸収性パンツは、クレードル試験により、８０ミリリットル放出の少なくとも６０％の流体分布を有することを特徴とする使い捨て吸収性パンツ。
【請求項２７】
前記使い捨て吸収性パンツは、クレードル試験により８０ミリリットル放出の少なくとも６５％の流体分布、より好ましくは少なくとも７０％の流体分布を有することを特徴とする請求項１から２６のいずれかに記載の使い捨て吸収性パンツ。
【請求項２８】
前記吸収能力は、約４０グラムから約３００グラムまでの間であり、より好ましくは約５０グラムから約１５０グラムまでの間であることを特徴とする請求項１から２７のいずれかに記載の使い捨て吸収性パンツ。
【請求項２９】
前記吸収体パッドは、約２ミリメートルより小さい、好ましくは約１．５ミリメートルより小さく、さらに好ましくは約１ミリメートルより小さい厚さを有することを特徴とする請求項１から２８のいずれかに記載の使い捨て吸収性パンツ。
【請求項３０】
前記外側カバー、前記身体側ライナ、前記吸収体パッド、及び前記外側カバーと前記身体側ライナとの間の付加的な層が組み合わされたときの厚さは、約３ミリメートルより小さく、好ましくは約２．５ミリメートルより小さく、さらに好ましくは２ミリメートルより小さいことを特徴とする請求項１から２９に記載の使い捨て吸収性パンツ。
【請求項３１】
前記第１及び第２脚開口部に隣接する、一対の閉じ込めフラップ、一対の脚部弾性体、一対の脚部カフス、及びこれらの組み合わせからなる群の少なくとも１つをさらに備えることを特徴とする請求項１から３０のいずれかに記載の使い捨て吸収性パンツ。
【請求項３２】
１回の放出用トレーニングパンツからなることを特徴とする請求項１から３０のいずれかに記載の吸収性パンツ。
【請求項３３】
幼児にトイレトレーニングする方法であって、
それぞれクレードル試験により、４０ミリリットル放出に対しては少なくとも７秒の取り込み速度、８０ミリリットル放出に対しては少なくとも４５秒の取り込み速度、４０ミリリットル放出の初期逆戻りの３５％より少ない４０ミリリットル放出の最終逆戻りと、８０ミリリットル放出の初期逆戻りの６０％より少ない８０ミリリットル放出の最終逆戻りと、８０ミリリットル放出の少なくとも６０％の流体分布を有する使い捨て吸収性パンツを幼児にあてがうことからなることを特徴とする方法。